(57)【特許請求の範囲】
【請求項１】
画像を表示する表示駆動装置と、当該表示駆動装置への物体の接近又は接触を検出する入力検出装置と、を備えた表示装置であって、
上記表示駆動装置は、
複数の走査線と、当該複数の走査線と交差するように配置された複数の画像信号線と、当該複数の画像信号線の各々に接続された画素電極と、当該画素電極の各々に対向するように配置された共通電極とを備える表示パネルと、
上記複数の走査線に順次走査信号を供給する走査線駆動回路と、
上記複数の画像信号線に順次画像信号を供給する信号線駆動回路と、を備え、
上記共通電極には、少なくとも、走査線に走査信号が供給されている走査期間において一定の電圧が印加されており、
上記入力検出装置は、上記物体の接近又は接触を検出する検出パネルであって上記表示パネルに重なり合うように配置された検出パネルを備え、
ｍ本目の走査線に走査信号の供給が開始される時点からｍ＋１本目の走査線に上記走査信号の供給が開始されるまでの期間は、上記走査期間と、水平帰線期間と、が含まれている水平同期期間であり、
上記検出パネルは、上記水平同期期間のうち、上記画像信号線に供給される画像信号の立ち上がり期間を除く期間である検出可能期間において、上記物体の接近又は接触の検出を行い、
同一フレームにおいて、上記立ち上がり期間が、上記水平同期期間の奇数期間と偶数期間とで異なっている、
ことを特徴とする表示装置。
【請求項２】
上記表示駆動装置は、上記検出可能期間の開始タイミングを示す同期信号を上記検出パネルに供給する同期信号供給手段をさらに備え、
上記検出パネルは、上記同期信号に同期して、上記物体の接近又は接触の検出を開始する、
ことを特徴とする請求項１に記載の表示装置。
【請求項３】
上記表示駆動装置の駆動方式を互いに異なる複数の極性反転駆動方式のいずれか１つから、前記複数の極性反転駆動方式の他のいずれか１つに切り替える制御手段をさらに備え、
前記複数の極性反転駆動方式は、ドット反転駆動方式とカラム反転駆動方式とライン反転駆動方式とであるか、反転する行数が互いに異なる複数のライン反転駆動方式であるか、あるいは、反転する列数が互いに異なる複数のカラム反転駆動方式であり、
上記同期信号供給手段は、上記制御手段によって切り替えられた極性反転駆動方式に応じた検出可能期間の開始タイミングを示す同期信号を出力する、
ことを特徴とする請求項２に記載の表示装置。
【請求項４】
上記表示駆動装置の駆動方式を互いに異なる複数の極性反転駆動方式のいずれか１つから、前記複数の極性反転駆動方式の他のいずれか１つに切り替える制御手段をさらに備え、
前記複数の極性反転駆動方式は、ドット反転駆動方式とカラム反転駆動方式とライン反転駆動方式とであるか、反転する行数が互いに異なる複数のライン反転駆動方式であるか、あるいは、反転する列数が互いに異なる複数のカラム反転駆動方式であり、
上記検出パネルは、上記制御手段によって切り替えられた極性反転駆動方式に応じた検出可能期間において上記物体の接近又は接触の検出を行う、
ことを特徴とする請求項１に記載の表示装置。
【請求項５】
上記表示パネルは、上記走査線に供給される走査信号によって上記画素電極と当該画素電極に対応する画像信号線との電気的な接続をオンオフするスイッチング素子をさらに備え、
上記スイッチング素子は、酸化物半導体を材料とする半導体層を有している、
ことを特徴とする請求項１から４の何れか１項に記載の表示装置。
【請求項６】
上記酸化物半導体は、ＩｎＧａＺｎＯｘである、
ことを特徴とする請求項５に記載の表示装置。
【請求項７】
上記表示パネルと、上記検出パネルとが、密着して形成されている、
ことを特徴とする請求項１から６の何れか１項に記載の表示装置。
【請求項８】
上記表示パネルと、上記検出パネルとが、一体に形成されている、
ことを特徴とする請求項１から６の何れか１項に記載の表示装置。
【発明の詳細な説明】
【技術分野】
【０００１】
本発明は、画像を表示する表示装置に関する。
【背景技術】
【０００２】
近年、画像を表示する表示駆動装置と、当該表示駆動装置へのユーザの接触（又は接近）操作を検出する入力検出装置と、を組み合わせた入力デバイスを備える表示装置の普及が進んでいる。このような表示装置は、通常、入力検出装置の備えるタッチパネルと表示駆動装置の備える表示パネルとを個別に生産し、表示パネルにタッチパネルを重ねて組み立てられることが一般的である。【０００３】
例えば、特許文献１には、ディスプレイパネルを駆動するディスプレイ駆動回路からタッチスクリーンコントローラ（入力検出装置）にタイミング情報を提供することで、タッチスクリーンコントローラとディスプレイとの同期を図る技術が開示されている。【０００４】
また、特許文献２には、複数の駆動電極を走査して駆動する表示走査駆動によって所定の回数表示画面の表示を行う期間内に、複数の駆動電極の全部または一部を連続して走査し駆動する検出走査駆動を、所定の回数よりも多い表示画面分行う技術が開示されている。
【先行技術文献】
【特許文献】
【０００５】
【特許文献１】日本国公開特許公報「特開２０１０−１０８５０１号公報（２０１０年５月１３日公開）」
【特許文献２】日本国公開特許公報「特開２０１１−１３７６０号公報（２０１１年１月２０日公開）」
【発明の概要】
【発明が解決しようとする課題】
【０００６】
しかし、このように入力検出装置を備える表示装置は、表示駆動装置において発生するノイズが原因で、入力検出装置における検出精度が十分に得られないという問題がある。例えば、表示装置が液晶表示装置である場合には、表示駆動装置の備える液晶を駆動する際にノイズが発生することが多い。【０００７】
具体的には、表示駆動装置に画像を表示させるために画像データに応じた電圧を画素に印加する際にノイズが発生する。【０００８】
これを解決するため、液晶の駆動に起因するノイズの少ない期間（垂直帰線期間、及び、水平帰線期間）において、入力検出装置における検出処理を行うことが提案されている。しかし、表示部の高解像度化及び検出部の高レポートレート化などによって帰線期間が減少傾向にあるため、検出部において高い検出精度を得るために十分な検出期間を確保することが困難になってきていた。【０００９】
これに対して、発明者は、液晶の駆動に起因するノイズの少ない期間が、帰線期間以外にも存在することを見出した。【００１０】
本発明は、上記の課題を解決するために、発明者の知見に基づいてなされたものであり、その主たる目的は、より長い検出期間を確保すると共に、高い検出精度を得ることのできる表示装置を提供することにある。
【課題を解決するための手段】
【００１１】
本発明の一態様に係る表示装置は、上述の課題を解決するため、画像を表示する表示駆動装置と、当該表示駆動装置への物体の接近又は接触を検出する入力検出装置と、を備えた表示装置であって、上記表示駆動装置は、複数の走査線と、当該複数の走査線と交差するように配置された複数の画像信号線と、当該複数の画像信号線の各々に接続された画素電極と、当該画素電極の各々に対向するように配置された共通電極とを備える表示パネルと、上記複数の走査線に順次走査信号を供給する走査線駆動回路と、上記複数の画像信号線に順次画像信号を供給する信号線駆動回路と、を備え、上記共通電極には、少なくとも、走査線に走査信号が供給されている走査期間において一定の電圧が印加されており、上記入力検出装置は、上記物体の接近又は接触を検出する検出パネルであって上記表示パネルに沿って配置された検出パネルを備え、上記検出パネルは、ｍ本目（ｍは自然数）の走査線に走査信号の供給が開始される時点から、ｍ＋１本目の走査線に上記走査信号の供給が開始されるまでの期間のうち、上記画像信号線に供給される画像信号の立ち上がり期間を除く期間である検出可能期間において、上記物体の接近又は接触の検出を行う、ことを特徴としている。
【発明の効果】
【００１２】
上記表示装置は、上記検出パネルにおける入力操作を検出するためにより長い検出期間を確保することができ、これによって高い検出精度を得ることができる。
【図面の簡単な説明】
【００１３】
[図1]本発明の一実施形態に係る表示装置の全体構成の概略を示すブロック図である。
[図2]本発明の一実施形態に係る検出部の構成の概略を示す図である。
[図3]本発明の一実施形態に係る表示パネルにおいて発生するノイズの測定結果を示すグラフである。
[図4]本発明の一実施形態に係る検出同期信号生成部において生成される検出同期信号を示すタイミングチャートである。
[図5]本発明の一実施形態に係る検出部におけるユーザの入力操作の検出精度を示すグラフである。
[図6]本発明の一実施形態に係る表示装置の駆動方式が１ライン反転駆動方式である場合の、検出処理のタイミングを示すタイミングチャートである。
[図7]本発明の一実施形態に係る表示装置の駆動方式が１カラム反転駆動方式である場合の、検出処理のタイミングを示すタイミングチャートである。
[図8]本発明の他の実施形態に係る表示装置の全体構成の概略を示すブロック図である。
[図9]本発明のさらに他の実施形態に係る表示装置の駆動方式が１ライン反転駆動方式である場合の検出処理のタイミングを示すタイミングチャートである。
[図10]本発明のさらに他の実施形態に係る表示装置の駆動方式が１カラム反転駆動方式である場合の、検出処理のタイミングを示すタイミングチャートである。
[図11]本発明の各実施形態に係る表示装置において、酸化物半導体を用いたＴＦＴ、ａ−Ｓｉを用いたＴＦＴ、及び、ＬＴＰＳを用いたＴＦＴの各々の特性を示すグラフである。
【発明を実施するための形態】
【００１４】
＜実施形態１＞
本発明の一実施形態に係る表示装置について、図１から図５を参照して説明する。但し、この実施形態に記載されている構成は、特に特定的な記載がない限り、この発明の範囲をそれのみに限定する趣旨ではなく、単なる説明例に過ぎない。
【００１５】
〔表示装置の構成〕
はじめに、図１を参照して、本実施形態に係る表示装置１の構成例について説明する。図１は、本実施形態に係る表示装置１の全体構成の概略を示すブロック図である。
【００１６】
図１に示すように、表示装置１は、表示駆動装置１０、入力検出装置２０、及び、システム側コントロール部３０を備えている。
【００１７】
〔表示装置の構成〕
表示駆動装置１０は、図１に示すように、表示パネル１１、走査線駆動回路１２、信号線駆動回路１３、共通電極駆動回路１４、タイミングコントロール部（制御手段）１５、および電源回路１６を備えている。
【００１８】
本実施形態では、表示駆動装置１０としてアクティブマトリクス型の液晶表示装置を採用している。したがって、本実施形態の表示パネル１１は、アクティブマトリクス型の液晶表示パネルであり、上記したその他の構成要素は、この液晶表示パネルを駆動するためのものである。
【００１９】
（表示パネル）
表示パネル１１は、複数のゲート信号ライン（走査線）Ｇ、及び、複数のソース信号ライン（画像信号線）Ｓを備えており、また、ゲート信号ラインＧとソース信号ラインＳとにより画定される複数の画素（画素領域）を備えている。なお、複数の画素は、複数の画素列および複数の画素行からなる、いわゆる格子状に配設されている。
【００２０】
図１に示す例では、表示パネル１１には、総数Ｎ本のソース信号ラインＳ、及び、総数Ｍ本のゲート信号ラインＧが設けられており、Ｍ行×Ｎ列（Ｍ、Ｎは自然数）に配設された複数の画素が設けられている。なお、図１では、ｎ本目のソース信号ラインをＳ（ｎ）とし、ｍ本目のゲート信号ラインをＧ（ｍ）としている（ｍ、ｎはそれぞれ、ｍ≦Ｍ、ｎ≦Ｎを満たす自然数）。
【００２１】
また、表示パネル１１は、画素領域毎に、画素電極、画素電極の各々に対向するように配置された共通電極、及び、ゲート信号ラインＧに供給されるゲート信号によって、画素電極と当該画素電極に対応するソース信号ラインＳとの電気的な接続をオンオフするＴＦＴ（スイッチング素子）を備えている。
【００２２】
複数のゲート信号ラインＧは、画素列方向（画素列に沿った方向）に並設されている。複数のゲート信号ラインＧの各々は、複数の画素行のうちの対応する画素行の各々の画素に対して電気的に接続されている。
【００２３】
複数のソース信号ラインＳは、画素行方向（画素行に沿った方向）に並設されており、いずれも複数のゲート信号ラインＧの各々と直交している。複数のソース信号ラインＳの各々は、複数の画素列のうちの対応する画素列の各々の画素に対して電気的に接続されている。
【００２４】
ゲート信号ラインＧは、走査線駆動回路１２から供給されたゲート信号を接続されたＴＦＴに供給する。また、ソース信号ラインＳは、信号線駆動回路１３から供給されたソース信号を、接続されたＴＦＴを介して画素電極に供給する。
【００２５】
なお、本実施形態では、表示パネルが液晶表示パネルである場合を例に挙げて説明するが、本発明はこれに限定されるものではなく、例えば、ＥＬディスプレイ、プラズマディスプレイなどであってもよい。
【００２６】
（走査線駆動回路）
走査線駆動回路１２は、複数のゲート信号ラインＧを順次選択して走査する。具体的には、走査線駆動回路１２は、複数のゲート信号ラインＧを順次選択し、選択したゲート信号ラインＧに対して、当該ゲート信号ラインＧ上の各画素に備えられたスイッチング素子（ＴＦＴ）をオンに切り替えるためのオン電圧を有する走査信号を供給する。
【００２７】
（信号線駆動回路）
信号線駆動回路１３は、ゲート信号ラインＧが選択されている間、そのゲート信号ラインＧ上の各画素に対して、対応するソース信号ラインＳから、画像データに応じたソース信号を供給する。具体的に説明すると、信号線駆動回路１３は、入力された画像信号に基づいて、選択されたゲート信号ラインＧ上の各画素に出力すべき電圧の値を算出し、その値の電圧をソース出力アンプから各ソース信号ラインＳに向けて出力する。その結果、選択されたゲート信号ラインＧ上の各画素に対してソース信号が供給され、ソース信号が書き込まれることとなる。
【００２８】
（共通電極駆動回路）
共通電極駆動回路１４は、複数の画素の各々に設けられている共通電極に対し、当該共通電極を駆動するための所定の共通電圧を供給する。
【００２９】
（タイミングコントロール部）
タイミングコントロール部１５は、走査線駆動回路１２、信号線駆動回路１３、及び共通電極駆動回路１４を制御する制御手段である。
【００３０】
タイミングコントロール部１５には、システム側コントロール部３０から画像信号、および制御信号が入力される。ここで、画像信号には、クロック信号、同期信号、画像データ信号などが含まれている。なお、画像は、動画像であってもよく、静止画像であってもよい。
【００３１】
そして、図１において実線矢印で示されているように、タイミングコントロール部１５は、各駆動回路が同期して動作するための各種制御信号を各駆動回路に対して出力する。
【００３２】
例えば、タイミングコントロール部１５は、走査線駆動回路１２に対して、ゲートスタートパルス信号、ゲートクロック信号ＧＣＫ、およびゲート出力制御信号ＧＯＥを供給する。走査線駆動回路１２は、ゲートスタートパルス信号を受け取ると、複数のゲート信号ラインＧの走査を開始する。そして、走査線駆動回路１２は、ゲートクロック信号ＧＣＫおよびゲート出力制御信号ＧＯＥに従って、各ゲート信号ラインＧに対して、順次オン電圧を供給していく。
【００３３】
また、タイミングコントロール部１５は、信号線駆動回路１３に対して、ソーススタートパルス信号、ソースラッチストローブ信号、およびソースクロック信号を出力する。信号線駆動回路１３は、ソーススタートパルス信号に基づいて、入力された各画素の画像データをソースクロック信号に従ってレジスタに蓄え、次のソースラッチストローブ信号に従って、各ソース信号ラインＳに対し、画像データに応じたソース信号を供給する。
【００３４】
また、タイミングコントロール部１５は、表示駆動装置１０の駆動方式を切り替えることによって表示装置１の駆動方式を切り替え、切り替えた駆動方式に従って走査線駆動回路１２、及び信号線駆動回路１３を制御することが好ましい。
【００３５】
駆動方式としては、通常の駆動方式の他に、例えば、ゲート信号ラインＧに供給される走査信号の極性をｉ（ｉは自然数）行毎に反転するライン反転駆動方式、及び、ソース信号ラインＳに供給されるソース信号の曲線をｊ（ｊは自然数）列毎に反転するカラム反転駆動方式挙げることができるが、これに限定されるものではない。例えば、ドット反転駆動方式、及び、インターレース駆動方式などを挙げることもできる。
【００３６】
さらに、タイミングコントロール部１５によって切り替えられる駆動方式は、何れも、極性反転駆動方式であることが好ましい。
【００３７】
上記の構成によれば、表示駆動装置１０を極性反転駆動方式を用いて駆動させることができるため、表示パネル１１の焼き付きを低減させつつ、高い検出精度を得ることができる。
【００３８】
（検出同期信号生成部）
ここで、本実施形態の表示駆動装置１０は、検出同期信号生成部（同期信号供給手段）１５１をさらに備えている。例えば、図１に示す例では、表示駆動装置１０に、タイミングコントロール部１５の１つの機能として、検出同期信号生成部１５１が設けられている。
【００３９】
検出同期信号生成部１５１は、後述する検出部２１におけるユーザの入力操作を検出する際の検出処理のタイミングを指示する検出同期信号（同期信号）を生成する。また、検出同期信号生成部１５１は、タイミングコントロール部１５によって切り替えられた駆動方式に応じた検出同期信号を生成する。なお、検出同期信号については後述する。
【００４０】
また、検出同期信号生成部１５１は、検出同期信号に加え、タイミングコントロール部１５から信号線駆動回路１３に供給されるソース信号の極性反転を示す極性反転情報を、検出部コントロール部２２に出力してもよい。
【００４１】
（電源回路）
電源回路１６は、図１において点線矢印で示されているように、電源回路１６は、走査線駆動回路１２、信号線駆動回路１３、および共通電極駆動回路１４の各々に対して、電圧を供給する。
【００４２】
〔入力検出装置の構成〕
次に、入力検出装置２０について説明する。入力検出装置２０は、図１に示すように、検出部（検出パネル）２１、及び、検出部コントロール部２２を備えている。ここで、図２を参照して、検出部２１の構成を説明する。図２は、検出部２１の構成の概略を示す図である。
【００４３】
（検出部）
検出部２１は、物体（例えば、指又はタッチペンなど）の接近又は接触を検出する（以降、検出処理とも記載する）手段であり、例えば、表示駆動装置１０の備える表示パネル１１に沿って配置されるタッチパネルなどによって実現される。なお、本実施形態では、検出部２１が、例えば静電容量型タッチパネルである場合を例に挙げて説明する。
【００４４】
検出部２１は、図２に示すように、複数のドライブラインＤ、及び、複数のセンスラインＣを備えており、複数のドライブラインＤと複数のセンスラインＣとはそれぞれ直交するように設けられている。図２に示す例では、検出部２１には、総数Ｐ本のドライブラインＤ、及び、総数Ｑ本のセンスラインＣが設けられている（Ｐ、Ｑは自然数）。なお、図２では、ｐ本目のドライブラインをＤ（ｐ）とし、ｑ本目のセンスラインをＣ（ｑ）としている（ｐ、ｑはそれぞれ、ｐ≦Ｐ、ｑ≦Ｑを満たす自然数）。
【００４５】
ドライブラインＤは、図２に示すように、１本目のドライブラインＤ（１）からＰ本目のドライブラインＤ（Ｐ）まで順次検出用パルス信号が供給される。また、ドライブラインＤに検出用パルス信号が供給されている期間中にユーザの指又はタッチペンなどが検出部２１に接触するか又は接近することによって、センスラインＣのキャパシタンスの値が変化する。検出部２１は、変化したセンスラインＣのキャパシタンスの値を出力することにより、物体の接近又は接触を検出する。
【００４６】
（検出部コントロール部）
検出部コントロール部２２は、検出部２１における検出処理のタイミングを制御する。例えば、検出部コントロール部２２は、表示駆動装置１０の備える表示パネル１１を構成するｍ本目のゲート信号ラインＧ（ｍ）に走査信号の供給が開始された時点から、ｍ＋１本目のゲート信号ラインＧ（ｍ＋１）に走査信号の供給が開始されるまでの期間のうち、各ソース信号ラインＳに供給される画像信号の立ち上がり期間を除く期間において、検出部２１における物体の接触検出が行われるよう、タイミングを制御する。
【００４７】
検出部コントロール部２２は、図１の太線矢印で示すように、表示駆動装置１０の備えるタイミングコントロール部１５から検出同期信号を取得する。検出部コントロール部２２は、取得した検出同期信号に基づいて、検出部２１に検出用パルス信号を供給するタイミングを決定すると共に、供給するパルス信号に含まれるパルスの数を決定する。
【００４８】
検出部コントロール部２２は、検出同期信号に基づいて決定した検出用パルス信号を、検出部２１の備える各ドライブラインＤに順次供給する。検出部コントロール部２２は、このように、表示駆動装置１０から供給された検出同期信号に基づいて、検出部２１による物体の接触検出を行う。
【００４９】
また、検出部コントロール部２２は、検出部２１から出力された、センスラインＣのキャパシタンスの値の変化を取得する。検出部コントロール部２２は、取得したセンスラインＣのキャパシタンスの値の変化に基づいて、検出部２１におけるユーザの入力操作を検出する。また、検出部コントロール部２２は、検出したユーザの入力操作を示す検出データをシステム側コントロール部３０に供給する。
【００５０】
〔システム側コントロール部〕
システム側コントロール部３０は、表示駆動装置１０が備えるタイミングコントロール部１５に、画像信号、および制御信号を出力する。また、システム側コントロール部３０は、検出部コントロール部２２から供給される検出データを取得する。システム側コントロール部３０は、取得した検出データに基づいて、表示装置１の各部を制御する。
【００５１】
なお、本実施形態では、表示パネル１１と、検出パネルである検出部２１とが、空気が入らないように（空気層が形成されないように）密着して形成されていることが好ましい。これによれば、表示装置１の、表示パネル１１と検出部２１とが重なり合う方向の厚みを薄くすることができる。
【００５２】
また、本実施形態では、表示パネル１１と、検出パネルである検出部２１とが、一体に形成されていてもよい。これによれば、表示装置１の、表示パネル１１と検出部２１とが重なり合う方向の厚みをさらに薄くすることができる。また、表示パネル１１及び検出部２１を別々に設ける必要がないため、表示装置１の部品点数を削減することができ、これによってコストを削減することができる。
【００５３】
〔ノイズの安定する期間〕
次に、帰線期間以外に存在する、液晶の駆動に起因するノイズの少ない（ノイズが安定している）期間について、図３を参照して説明する。図３は、表示パネル１１において、各水平同期期間に発生するノイズの測定結果を示すグラフである。図３の（ａ）は、第ｘフレーム（ｘは自然数）における、第１〜第３水平同期期間（１Ｈ〜３Ｈ）中のノイズを示し、（ｂ）は、第ｘ＋１フレームにおける、第１〜第３水平同期期間（１Ｈ〜３Ｈ）中のノイズを示している。図３の（ａ）及び（ｂ）において、「Ｖｓｙｎｃ」は各フレームの開始を通知するフレーム開始シグナルを示し、「ＧＯＥ」は水平同期（Ｈシンク）の周期を示し、「Ｎｏｉｓｅ」は表示パネル１１において発生するノイズを示している。なお、一般的な水平同期信号として、ＧＯＥの他にＨｓｙｎｃ及びＧＣＫ等を挙げることができる。
【００５４】
なお、本実施形態では、各ゲート信号ラインを走査する走査期間（ＧＯＥがハイレベルの期間に対応）と、水平帰線期間（ＧＯＥがローレベルの期間に対応）とを含んだ期間を、水平同期期間としている。
【００５５】
第ｘフレームにおいて、第１水平同期期間の開始と同時にソース信号ラインＳにソース信号の供給が開始される。このとき、図３の（ａ）に示すように、第１水平同期期間の開始直後、すなわち、ソース信号ラインＳへのソース信号の供給の開始直後にノイズが発生し、一定期間経過後にノイズが小さくなる（安定する）。また、第２水平同期期間の開始直後にノイズが発生し、一定期間経過後にノイズが安定する。さらに、第３水平同期期間の開始直後にノイズが発生し、一定期間経過後にノイズが安定する。つまり、各水平同期期間の開始直後から一定期間経過するまでの期間が、ソース信号ラインＳに供給されるソース信号の立ち上がり期間または立ち下がり期間に相当する。なお、本実施形態において、ソース信号の立ち上がり期間と立ち下がり期間とを区別せずに、共に「立ち上がり期間」と表現することもある。
【００５６】
また、本実施形態においては、図３の（ａ）に示すように、第１水平同期期間の開始からノイズが安定するまでの期間は９．０μｓである。第２水平同期期間の開始からノイズが安定するまでの期間は７．６μｓであり、第３水平同期期間の開始からノイズが安定するまでの期間は９．０μｓである。
【００５７】
なお、本実施形態においては、図３の（ａ）に示すように、第１水平同期期間の開始からノイズが発生するまでの期間は１．８μｓである。第２水平同期期間の開始からノイズが発生するまでの期間は０．４μｓであり、第３水平同期期間の開始からノイズが発生するまでの期間は１．８μｓである。
【００５８】
また、第ｘ＋１フレームにおいて、第１水平同期期間の開始と同時にソース信号ラインＳにソース信号の供給が開始される。このとき、図３の（ｂ）に示すように、第１水平同期期間の開始直後、すなわち、ソース信号ラインＳへのソース信号の供給の開始直後にノイズが発生し、一定期間経過後にノイズが小さくなる（安定する）。また、第２水平同期期間の開始直後にノイズが発生し、一定期間経過後にノイズが安定する。さらに、第３水平同期期間の開始直後にノイズが発生し、一定期間経過後にノイズが安定する。
【００５９】
なお、本実施形態においては、図３の（ｂ）に示すように、各水平同期期間の開始からノイズが発生するまでの期間、及び、ノイズが安定するまでの期間はそれぞれ、図３の（ａ）に示す各期間と同じである。
【００６０】
なお、第ｘフレームと第ｘ＋１フレームとでは、各ソース信号ラインＳに供給されるソース信号の極性が反転しているため、図３の（ａ）及び（ｂ）に示すように、各水平同期期間において発生するノイズの極性も反転している。
【００６１】
上述のように、水平同期期間中、すなわち、ソース信号ラインＳへのソース信号の供給（画素電極への画像データの書き込み）が行われている期間中であっても、ノイズが大きい期間と小さい（安定した）期間とが存在することを、発明者は見出した。
【００６２】
なお、水平同期期間中にノイズが大きい期間と小さい期間とが存在する理由は、まず、ソース信号ラインＳへのソース信号の供給の開始によってソース信号ラインＳの電位が大きく変動（すなわち、画素電極の電位が大きく変動）することでノイズが発生し、その後、ソース信号の供給が終了するまではソース信号ラインＳの電位の変動が小さい（すなわち、画素電極の電位の変動が小さい）ためノイズが小さく安定するようになるためである。
【００６３】
（非検出期間）
以降では、水平同期期間中であって、水平同期期間の開始からノイズが安定するまでの、ノイズの大きい期間（ソース信号ラインＳに供給されるソース信号の立ち上がり期間）を、非検出期間と呼称する。
【００６４】
この非検出期間は、例えば、トランジスタの端子間容量（例えば、Ｃｄｓ及びＣｇｓなど）及び各バスライン容量と、ソース信号ラインＳの抵抗値（Ｒ）とによって決まる時定数τ（τ＝ＲＣ）によって定められる。もちろん、非検出期間の決定に際し、時定数に加え、さらにＴＦＴの抵抗値、表示パネル１１の有する液晶層（不図示）の液晶容量などを考慮して定めておくことができる。なお、図３から明らかなように、本実施形態において、時定数τは、数μｓのオーダーである（パネルサイズ、及び解像度によっても変化する）。
【００６５】
なお、図３に示すように、ｎフレーム及びｎ＋１フレームにおける各水平同期期間の極性は、ノイズが安定するまでの期間にはあまり影響しない一方、各水平同期期間が奇数期間（図３では、１Ｈ、３Ｈ）であるか偶数期間（図３では、２Ｈ）であるかによって、ノイズが安定するまでの期間が異なっている場合がある。このように、水平同期期間によってノイズが安定するまでの期間が異なる場合には、ノイズが安定するまでの異なる期間のそれぞれに対して、非検出期間を設定する（図３においては２つの非検出期間を設定する）ことが好ましい。
【００６６】
〔検出同期信号〕
本実施形態に係る表示装置１は、検出同期信号生成部１５１において、水平同期期間中であってノイズが安定している期間（すなわち、非検出期間を除いた期間）と、検出部２１における検出処理を行う期間との同期を図る検出同期信号を生成する。検出同期信号は、タイミングコントロール部１５によって切り替えられた表示装置１の駆動方式に応じて、検出部２１におけるユーザの入力操作を検出する際の検出処理のタイミングを指示する信号である。
【００６７】
入力検出装置２０は、表示駆動装置１０の備える検出同期信号生成部１５１によって生成した検出同期信号を取得し、検出同期信号の示すタイミングで検出部２１による検出処理を行う。
【００６８】
検出同期信号は、あるゲート信号ラインＧに走査信号の供給が開始される時点から、あるゲート信号ラインＧの次のゲート信号ラインＧに操作信号が供給されるまでの期間のうち、非検出期間を除く期間である検出可能期間の開始タイミングを示す信号であることが好ましく、さらには、検出可能期間の開始タイミングから終了タイミングまで（すなわち、検出可能期間そのもの）を示す信号であることが好ましい。このように、検出同期信号の示すタイミングで検出部２１における検出動作を行うことにより、例えば、垂直帰線期間又は水平帰線期間中にのみ検出動作を行う場合と比較して、検出部２１における高い検出精度が得られる十分な検出期間を確保することができる。
【００６９】
本実施形態に係る検出同期信号について、図４を参照して説明する。図４は、本実施形態に係る検出同期信号生成部１５１において生成される検出同期信号を示すタイミングチャートである。
【００７０】
図４の（ａ）に示す、タイミングコントロール部１５から出力される制御信号に含まれる水平同期信号（ＨＳＹＮＣ）によって決定される水平同期期間中に、（ｂ）に示すように、ノイズの大きい非検出期間が存在する。このノイズは、例えば、上述したように、ソース信号ラインＳに供給されるソース信号の立ち上がりに起因する。
【００７１】
検出同期信号生成部１５１は、図４の（ｃ）に示すように、１水平同期期間中であって、（ｂ）に示す非検出期間が経過した後に、検出同期信号を生成する。また、生成された検出同期信号は、入力検出装置２０の備える検出部コントロール部２２に供給される。
【００７２】
検出部コントロール部２２は、供給された検出同期信号に基づいて、図４の（ｄ）に示すように、検出用パルス信号を生成する。
【００７３】
これによって、検出部２１は、表示駆動装置１０において発生するノイズの影響の小さい期間に検出処理を行うことができるため、高い検出精度を得ることができる。
【００７４】
〔入力操作の検出精度〕
次に、検出部２１における、ユーザの入力操作の検出精度について、図５を参照して説明する。図５は、検出部２１におけるユーザの入力操作の検出精度を示すグラフである。図５の（ａ）は、検出同期信号による表示駆動装置１０と入力検出装置２０との同期を行わない場合の検出精度を示し、（ｂ）は同期を行った場合の検出精度を示している。なお、図５の（ａ）及び（ｂ）において、それぞれ、ｘ軸及びｙ軸は検出部２１における位置を示し、ｚ軸は検出部２１において検出される検出部２１のキャパシタンスの変化を示している。
【００７５】
検出同期信号によって、表示駆動装置１０における画像表示動作と入力検出装置２０における入力操作の検出動作との同期を行わない場合、図５の（ａ）に示すように、検出部２１において、指やタッチペンなどが検出部２１に触れることによる検出部２１のキャパシタンスの変化Ａ以外のキャパシタンスの変化も検出してしまう。なお、変化Ａ以外のキャパシタンスの変化は、非検出期間に発生しているノイズに起因すると考えられる。
【００７６】
これに対し、検出同期信号によって、表示駆動装置１０における画像表示動作と入力検出装置２０における入力操作の検出動作との同期を行う（すなわち、非検出期間を除いた水平同期期間に検出部２１における検出処理を行う）場合、図５の（ｂ）に示すように、変化Ａだけを効率よく検出することができる。
になる。
【００７７】
なお、本実施形態では、非検出期間を水平同期期間の開始からノイズが安定するまでとする場合を例に挙げて説明したが、本発明はこれに限定されるものではない。例えば、図３に示す、第１水平同期期間の開始からノイズが発生するまでの期間を、非検出期間に含まれない期間（すなわち、検出部２１における検出処理を行う期間）とする構成を採用してもよい。
【００７８】
また、本実施形態では、図３に示すように、各ソース信号ラインＳに供給されるソース信号の極性が、ｘフレーム目とｘ＋１フレーム目とで反転するフレーム反転駆動を行う場合を例に挙げて説明したが、本発明はこれに限定されるものではない。例えば、２フレーム毎にソース信号の極性が反転する２フレーム反転駆動を行ってもよいし、Ｘフレーム毎（Ｘは自然数）にソース信号の極性が反転するＸフレーム反転駆動を行ってもよい。
【００７９】
〔検出処理タイミング〕
次に、タイミングコントロール部１５が、表示装置１の駆動方式を、ライン反転駆動方式と、及びカラム反転駆動方式とで切り替えた場合の、表示装置１の動作について説明する。
【００８０】
（ライン反転駆動）
まず、タイミングコントロール部１５が、表示装置１の駆動方式を、１行のゲート信号ラインＧ毎（ｉ＝１）に走査信号の極性を反転する１ライン反転駆動方式に切り替えた場合の検出部２１における検出処理のタイミングを、図６を参照して説明する。
【００８１】
図６は、表示装置１の駆動方式が１ライン反転駆動方式である場合の検出処理のタイミングを示すタイミングチャートである。図６の（ａ）は垂直同期信号（ＶＳＹＮＣ）を示し、（ｂ）は水平同期信号（ＨＳＹＮＣ）を示し、（ｃ）はフレーム毎の極性を示すフレーム極性信号（ＦＰＯＬ）を示し、（ｄ）はゲート信号ラインＧ毎の極性を示すライン極性信号（ＬＰＯＬ）を示し、（ｅ）はノイズを示し、（ｆ）は検出同期信号を示し、（ｇ）は検出用パルス信号を示している。
【００８２】
図６の（ａ）に示すように、水平同期信号は、フレーム期間（ＶＳＹＮＣがハイレベルの期間に対応）と垂直帰線期間（ＶＳＹＮＣがローレベルの期間に対応）とを含んでおり、タイミングコントロール部１５は、フレーム期間において表示パネル１１に表示される画像のリフレッシュを行うように走査線駆動回路１２及び信号線駆動回路１３を制御する。
【００８３】
１ライン反転駆動において、フレーム極性信号は、図６の（ａ）及び（ｃ）に示すように、垂直同期信号が示すフレーム期間毎に反転する。また、ライン極性信号は、図６の（ｂ）及び（ｄ）に示すように、水平同期信号が示す水平同期期間毎に反転する。
【００８４】
また、図６の（ｂ）及び（ｅ）に示すように、水平同期期間中には、ソース信号ラインＳに供給されるソース信号の立ち上がりに起因するノイズの大きい期間が存在する。
【００８５】
検出同期信号生成部１５１は、図６の（ｆ）に示すように、（ｅ）に示すノイズの大きい期間を非検出期間とした、検出同期信号を生成する。このとき、図６の（ｅ）に示すように、ノイズの絶対値が略同じであることから、検出同期信号生成部１５１によって生成される検出同期信号がハイレベルとなる期間は、各水平同期期間において略一定となる。タイミングコントロール部１５は、検出同期信号生成部１５１によって生成された検出同期信号を検出部コントロール部２２に供給する。
【００８６】
検出部コントロール部２２は、供給された検出同期信号に従って、図６の（ｇ）に示す検出用パルス信号を生成し、生成した検出用パルス信号を検出部２１に供給する。検出部２１は、検出部コントロール部２２から供給された検出用パルス信号に従って検出処理を行う。
【００８７】
なお、表示装置１の駆動方式がライン反転駆動方式である場合、図６の（ｆ）に示すように、検出同期信号がハイレベルである期間が各水平同期期間において略一定となることから、検出処理のタイミング、及び検出処理を行う期間の長さは、（ｇ）に示すように、各水平同期期間において略一定となる。
【００８８】
検出部２１は、上述のように、検出同期信号に従って、表示駆動装置１０において発生するノイズの影響の小さい期間に検出処理を行うことができるため、高い検出精度を得ることができる。
【００８９】
（カラム反転駆動）
次に、タイミングコントロール部１５が、表示装置１の駆動方式を、１列のソース信号ラインＳ毎（ｊ＝１）にソース信号の極性を反転する１カラム反転駆動方式に切り替えた場合の検出部２１における検出処理のタイミングを、図７を参照して説明する。
【００９０】
図７は、表示装置１の駆動方式が１カラム反転駆動方式である場合の検出処理のタイミングを示すタイミングチャートである。図７の（ａ）は垂直同期信号（ＶＳＹＮＣ）を示し、（ｂ）は水平同期信号（ＨＳＹＮＣ）を示し、（ｃ）はフレーム極性信号（ＦＰＯＬ）を示し、（ｄ）はライン極性信号（ＬＰＯＬ）を示し、（ｅ）はノイズを示し、（ｆ）は検出同期信号を示し、（ｇ）は検出用パルス信号を示している。
【００９１】
１カラム反転駆動において、フレーム極性信号は、図７の（ａ）及び（ｃ）に示すように、垂直同期信号の示すフレーム期間毎に反転する。また、ライン極性信号は、図７の（ａ）、（ｂ）、及び（ｄ）に示すように、フレーム期間、及び水平同期信号の示す水平同期期間に係らず、一定である。
【００９２】
また、図７の（ｂ）及び（ｅ）に示すように、水平同期期間中には、ソース信号ラインＳに供給されるソース信号の立ち上がりに起因するノイズの大きい期間が存在する。
【００９３】
検出同期信号生成部１５１は、図７の（ｆ）に示すように、（ｅ）に示すノイズの大きい期間を非検出期間とした、検出同期信号を生成する。このとき、図７の（ｅ）に示すように、ノイズの絶対値が水平同期期間毎に異なることから、検出同期信号生成部１５１によって生成される検出同期信号がハイレベルとなる期間も、水平同期期間毎に異なることになる。タイミングコントロール部１５は、検出同期信号生成部１５１によって生成された検出同期信号を検出部コントロール部２２に供給する。
【００９４】
検出部コントロール部２２は、供給された検出同期信号に従って、図７の（ｇ）に示す検出用パルス信号を生成し、生成した検出用パルス信号を検出部２１に供給する。検出部２１は、検出部コントロール部２２から供給された検出用パルス信号に従って検出処理を行う。
【００９５】
なお、表示装置１の駆動方式がカラム反転駆動方式である場合、図７の（ｆ）に示すように、検出同期信号がハイレベルである期間が、水平同期期間毎に異なることから、検出処理のタイミング、及び検出処理を行う期間の長さも、（ｇ）に示すように、水平同期期間毎に異なることになる。
【００９６】
検出部２１は、上述のように、検出同期信号に従って、表示駆動装置１０において発生するノイズの影響の小さい期間に検出処理を行うことができるため、高い検出精度を得ることができる。
【００９７】
本実施形態に係る表示装置１は、タイミングコントロール部１５が当該表示装置１の駆動方式を切り替えた場合に、検出同期信号生成部１５１によって、切り替えられた後の駆動方式に応じた検出処理のタイミングを示す検出同期信号を生成することができる。したがって、検出部２１において、タイミングコントロール部１５が切り替えた駆動方式に適したタイミングで検出処理を行うことができる。
【００９８】
なお、本実施形態では、１ライン反転駆動、及び１カラム反転駆動を行う場合を例に挙げて説明したが、本発明はこれに限定されるものではない。例えば、２（ｉ＝２）ライン反転駆動を行ってもよいし、２（ｊ＝２）カラム反転駆動を行なってもよい。
【００９９】
また、本実施形態では、検出同期信号生成部１５１が、表示装置１の駆動方式に応じた検出同期信号を生成する構成を例に挙げて説明したが、本発明はこれに限定されるものではない。例えば、表示装置１が、予め各駆動方法に対応する検出同期信号を格納した記憶部（不図示）を備えており、検出同期信号生成部１５１が、タイミングコントロール部１５によって切り替えられた表示装置１の駆動方式に対応する検出同期信号を記憶部から読み出す構成を採用してもよい。
【０１００】
なお、本実施形態では、検出同期信号が、検出部２１における検出処理が実行可能な期間を示す信号である場合を例に挙げて説明したが、本発明はこれに限定されるものではない。例えば、検出同期信号が、検出部２１における検出処理の開始タイミングを指示する信号である構成を採用することもできる。
【０１０１】
さらに、本実施形態に係るタイミングコントロール部１５は、ライン極性信号、及びフレーム極性信号との組み合わせによって、現在の駆動方式が、何れの駆動方式であるかを判定してもよい。この場合には、タイミングコントロール部１５は、ライン極性信号、及びフレーム極性信号との組み合わせによって判定した駆動方式に適した検出同期信号を生成すればよい。
【０１０２】
この構成によれば、タイミングコントロール部１５は、現在の駆動方式が何れの駆動方式であるかを認識していない場合であっても、現在の駆動方に適した検出同期信号を生成することができる。
【０１０３】
＜実施形態２＞
本発明の他の実施形態について、図８に基づいて説明する。なお、説明の便宜上、実施形態１に係る構成要素と同様の機能を有する構成要素には同一の番号を付し、その説明を省略する。本実施形態では、主に、実施形態１との相違点について説明するものとする。
【０１０４】
図８は、本実施形態に係る表示装置１の全体構成を示す図である。図８に示すように、本実施形態に係る表示装置２は、検出同期信号が、タイミングコントロール部１５’の備える検出同期信号生成部１５１’からシステム側コントロール部３０’に入力された後、システム側コントロール部３０’から入力検出装置２０’の備える検出部コントロール部２２’に供給されることを除き、実施形態１に記載の表示装置１と同じ構成である。
【０１０５】
図８に示すように、表示駆動装置１０’の備えるタイミングコントロール部１５’は、検出同期信号生成部１５１’において生成した検出同期信号を、システム側コントロール部３０’に出力する。
【０１０６】
システム側コントロール部３０’は、タイミングコントロール部１５’から取得した検出同期信号を、入力検出装置２０’の備える検出部コントロール部２２’に供給する。
【０１０７】
検出部コントロール部２２’は、システム側コントロール部３０’から供給された検出同期信号に基づいて、検出部２１に検出用パルス信号を供給するタイミングを決定すると共に、供給するパルスの数を決定する。
【０１０８】
また、システム側コントロール部３０’は、検出同期信号に加え、タイミングコントロール部１５を介して信号線駆動回路１３に供給されるソース信号（映像信号）の極性の反転を示す極性反転情報を検出部コントロール部２２’に出力してもよい。
【０１０９】
＜実施形態３＞
本発明の他の実施形態について、図９及び図１０に基づいて説明する。なお、本実施形態は、検出部コントロール部２２が、検出同期信号によらず、検出部２１における検出処理のタイミングを指定するための検出期間を設定する機能を有していること以外は、実施形態１に係る表示装置１と同様である。
【０１１０】
検出部コントロール部２２が、検出同期信号によらずに検出部２１における検出処理のタイミングを指定するための検出期間を設定する機能を有している場合に、タイミングコントロール部１５が、表示装置１の駆動方式を、ライン反転駆動方式と、及びカラム反転駆動方式とで切り替えた場合の、表示装置１の動作について説明する。
【０１１１】
（ライン反転駆動）
まず、タイミングコントロール部１５が、表示装置１の駆動方式を、１行のゲート信号ラインＧ毎（ｉ＝１）に走査信号の極性を反転する１ライン反転駆動方式に切り替えた場合の検出部２１における検出処理のタイミングを、図９を参照して説明する。
【０１１２】
図９は、表示装置１の駆動方式が１ライン反転駆動方式に切り替えられた場合の検出処理のタイミングを示すタイミングチャートである。図９の（ａ）は垂直同期信号（ＶＳＹＮＣ）を示し、（ｂ）は水平同期信号（ＨＳＹＮＣ）を示し、（ｃ）はフレーム極性信号（ＦＰＯＬ）を示し、（ｄ）は示すライン極性信号（ＬＰＯＬ）を示し、（ｅ）はノイズを示し、（ｆ）は検出部コントロール部２２によって設定される、検出部２１における検出処理のタイミングを示す検出期間を示し、（ｇ）は検出用パルス信号を示している。
【０１１３】
図９の（ａ）に示すように、水平同期信号は、フレーム期間（ＶＳＹＮＣがハイレベルの期間に対応）と垂直帰線期間（ＶＳＹＮＣがローレベルの期間に対応）とを含んでおり、タイミングコントロール部１５は、フレーム期間において表示パネル１１に表示される画像のリフレッシュを行うように走査線駆動回路１２及び信号線駆動回路１３を制御する。
【０１１４】
１ライン反転駆動において、フレーム極性信号は、図９の（ａ）及び（ｃ）に示すように、垂直同期信号が示すフレーム期間毎に反転する。また、ライン極性信号は、図９の（ｂ）及び（ｄ）に示すように、水平同期信号が示す水平同期期間毎に反転する。
【０１１５】
また、図９の（ｂ）及び（ｅ）に示すように、水平同期期間中には、ソース信号ラインＳに供給されるソース信号の立ち上がりに起因するノイズの大きい期間が存在する。
【０１１６】
検出部コントロール部２２は、図９の（ｆ）に示すように、（ｅ）に示すノイズの大きい期間を非検出期間とした、検出期間を設定する。このとき、図９の（ｅ）に示すように、ノイズの絶対値が略同じであることから、検出部コントロール部２２によって検出期間として設定される期間（図９の（ｆ）においてハイレベルとなる期間に対応）は、各水平同期期間において略一定となる。
【０１１７】
検出部コントロール部２２は、設定した検出期間に従って、図９の（ｇ）に示す検出用パルス信号を生成し、生成した検出用パルス信号を検出部２１に供給する。検出部２１は、検出部コントロール部２２から供給された検出用パルス信号に従って検出処理を行う。
【０１１８】
なお、表示装置１の駆動方式がライン反転駆動方式である場合、図９の（ｆ）に示すように、検出期間が各水平同期期間において略一定となることから、検出処理のタイミング、及び検出処理を行う期間の長さは、（ｇ）に示すように、各水平同期期間において略一定となる。
【０１１９】
検出部２１は、上述のように、検出部コントロール部２２によって設定された検出期間に従って、表示駆動装置１０において発生するノイズの影響の小さい期間に検出処理を行うことができるため、高い検出精度を得ることができる。
【０１２０】
（カラム反転駆動）
次に、タイミングコントロール部１５が、表示装置１の駆動方式を、１列のソース信号ラインＳ毎（ｊ＝１）にソース信号の極性を反転する１カラム反転駆動方式に切り替えた場合の検出部２１における検出処理のタイミングを、図１０を参照して説明する。
【０１２１】
図１０は、表示装置１の駆動方式が１カラム反転駆動方式に切り替えられた場合の検出処理のタイミングを示すタイミングチャートである。図１０の（ａ）は垂直同期信号（ＶＳＹＮＣ）を示し、（ｂ）は水平同期信号（ＨＳＹＮＣ）を示し、（ｃ）はフレーム極性信号（ＦＰＯＬ）を示し、（ｄ）はライン極性信号（ＬＰＯＬ）を示し、（ｅ）はノイズを示し、（ｆ）は検出部コントロール部２２によって設定される、検出部２１における検出処理のタイミングを示す検出期間を示し、（ｇ）は検出用パルス信号を示している。
【０１２２】
１カラム反転駆動において、フレーム極性信号は、図１０の（ａ）及び（ｃ）に示すように、垂直同期信号の示すフレーム期間毎に反転する。また、ライン極性信号は、図１０の（ａ）、（ｂ）、及び（ｄ）に示すように、フレーム期間、及び水平同期信号の示す水平同期期間に係らず、一定である。
【０１２３】
また、図１０の（ｂ）及び（ｅ）に示すように、水平同期期間中には、ソース信号ラインＳに供給されるソース信号の立ち上がりに起因するノイズの大きい期間が存在する。
【０１２４】
検出部コントロール部２２は、図１０の（ｆ）に示すように、（ｅ）に示すノイズの大きい期間を非検出期間とした、検出期間を設定する。このとき、図１０（ｅ）に示すように、ノイズの絶対値が水平同期期間毎に異なることから、検出部コントロール部２２によって検出期間として設定される期間（図１０の（ｆ）においてハイレベルとなる期間に対応）も、水平同期期間毎に異なることになる。
【０１２５】
検出部コントロール部２２は、設定された検出期間に従って、図１０の（ｇ）に示す検出用パルス信号を生成し、生成した検出用パルス信号を検出部２１に供給する。検出部２１は、検出部コントロール部２２から供給された検出用パルス信号に従って検出処理を行う。
【０１２６】
なお、表示装置１の駆動方式がカラム反転駆動方式である場合、図１０の（ｆ）に示すように、検出期間が水平同期期間毎に異なることから、検出処理のタイミング、及び検出処理を行う期間の長さも、（ｇ）に示すように、水平同期期間毎に異なることになる。
【０１２７】
検出部２１は、上述のように、検出部コントロール部２２によって設定された検出期間に従って、表示駆動装置１０において発生するノイズの影響の小さい期間に検出処理を行うことができるため、高い検出精度を得ることができる。
【０１２８】
本実施形態に係る表示装置１は、タイミングコントロール部１５が当該表示装置１の駆動方式を切り替えた場合に、検出部コントロール部２２によって、切り替えられた後の駆動方式に応じた検出処理のタイミングを示す検出期間を設定することができる。したがって、検出部２１において、タイミングコントロール部１５が切り替えた駆動方式に適したタイミングで検出処理を行うことができる。
【０１２９】
また、本実施形態では、検出部コントロール部２２が、表示装置１の駆動方式に応じた検出期間を設定する構成を例に挙げて説明したが、本発明はこれに限定されるものではない。例えば、表示装置１が、予め各駆動方法に対応する検出期間を示すデータを格納した記憶部（不図示）を備えており、検出部コントロール部２２が、タイミングコントロール部１５によって切り替えられた表示装置１の駆動方式に対応する検出期間を示すデータを記憶部から読み出す構成を採用してもよい。
【０１３０】
さらに、本実施形態に係る検出部コントロール部２２は、ライン極性信号、及びフレーム極性信号との組み合わせによって、現在の駆動方式が、何れの駆動方式であるかを判定してもよい。この場合には、検出部コントロール部２２は、ライン極性信号、及びフレーム極性信号との組み合わせによって判定した駆動方式に適した検出同期信号を生成すればよい。
【０１３１】
この構成によれば、タイミングコントロール部１５は、現在の駆動方式が何れの駆動方式であるかを認識していない場合であっても、現在の駆動方に適した検出同期信号を生成することができる。
【０１３２】
〔酸化物半導体を用いたＴＦＴの特性〕
上述の実施形態では、表示パネル１１の備えるＴＦＴを特に限定していなかったが、ＴＦＴとして、いわゆる酸化物半導体を材料とする半導体層を有するＴＦＴを採用することができる。酸化物半導体には、例えばＩＧＺＯ（ＩｎＧａＺｎＯｘ）が含まれる。
【０１３３】
ＴＦＴとして酸化物半導体を用いた場合のＴＦＴの特性を図１１に基づいて説明する。図１１は、各種ＴＦＴの特性を示す図である。具体的には、図１１は、酸化物半導体を用いたＴＦＴ、ａ−Ｓｉ（amorphous silicon）を用いたＴＦＴ、及び、ＬＴＰＳ（Low Temperature Poly Silicon）を用いたＴＦＴの各々の特性を示している。
【０１３４】
図１１において、横軸（Ｖｇｈ）は、上記各ＴＦＴにおいてゲートに供給されるオン電圧の電圧値を示し、縦軸（Ｉｄ）は、上記各ＴＦＴにおけるソース−ドレイン間の電流量を示している。
【０１３５】
特に、図中において「ＴＦＴ−ｏｎ」と示されている期間は、オン電圧の電圧値に応じてオン状態となっている期間を示し、図中において「ＴＦＴ−ｏｆｆ」と示されている期間は、オン電圧の電圧値に応じてオフ状態となっている期間を示す。
【０１３６】
図１１に示すように、酸化物半導体を用いたＴＦＴは、ａ−Ｓｉを用いたＴＦＴよりも、オン状態の時の電子移動度が２０〜５０倍程度高く、オン特性が非常に優れていることから、リフレッシュレートを高く（例えば、６０Ｈｚ以上など）することも容易である。
【０１３７】
上述した実施形態に係る表示駆動装置１０及び１０’が備える表示パネル１１は、このようなオン特性が優れている酸化物半導体を用いたＴＦＴを各画素に採用することにより、より小型のＴＦＴで画素を駆動することができる。これによって、表示パネル１１は、各画素において、ＴＦＴが占める面積の割り合いを小さくすることができる。すなわち、各画素における開口率を高め、バックライト光の透過率を高めることができる。その結果、消費電力が少ないバックライトを採用したり、バックライトの輝度を抑制したりすることができるので、消費電力を低減することができる。
【０１３８】
また、ＴＦＴのオン特性が優れているために、各画素に対するソース信号の書き込み時間をより短時間化することもできるので、表示パネル１１のリフレッシュレートを容易に高くすることができる。
【０１３９】
また、図１１に示すように、酸化物半導体を用いたＴＦＴは、オフ状態のときのリーク電流が、ａ−Ｓｉを用いたＴＦＴの１００分の１程度であり、リーク電流が殆ど生じない、オフ特性が非常に優れたものである。このように、オフ特性が非常に優れていることから、リフレッシュレートを低くする（例えば、３０Ｈｚ以下など）ことも容易である。
【０１４０】
上述した実施形態に係る表示パネル１１は、このようなオフ特性が優れている酸化物半導体を用いたＴＦＴを各画素に採用することにより、表示パネル１１が備える複数の画素の各々のソース信号が書き込まれている状態を長期間維持することができるので、表示パネル１１のリフレッシュレートを容易に低くすることができる。
【０１４１】
〔まとめ〕
本発明の態様１に係る表示装置は、上述のように、画像を表示する表示駆動装置と、当該表示駆動装置への物体の接近又は接触を検出する入力検出装置と、を備えた表示装置であって、上記表示駆動装置は、複数の走査線と、当該複数の走査線と交差するように配置された複数の画像信号線と、当該複数の画像信号線の各々に接続された画素電極と、当該画素電極の各々に対向するように配置された共通電極とを備える表示パネルと、上記複数の走査線に順次走査信号を供給する走査線駆動回路と、上記複数の画像信号線に順次画像信号を供給する信号線駆動回路と、を備え、上記共通電極には、少なくとも、走査線に走査信号が供給されている走査期間において一定の電圧が印加されており、上記入力検出装置は、上記物体の接近又は接触を検出する検出パネルであって上記表示パネルに沿って配置された検出パネルを備え、上記検出パネルは、ｍ本目（ｍは自然数）の走査線に走査信号の供給が開始される時点から、ｍ＋１本目の走査線に上記走査信号の供給が開始されるまでの期間のうち、上記画像信号線に供給される画像信号の立ち上がり期間を除く期間である検出可能期間において、上記物体の接近又は接触の検出を行う、ことを特徴としている。
【０１４２】
上記の構成によれば、上記入力検出装置は、物体の接触又は接近の検出を、上記画像信号線を介して上記画素電極に供給される画像信号の立ち上がり期間を除く期間において行う。これによれば、上記表示装置は、上記画像信号線を介して上記画素電極に供給される画像信号の立ち上がりに起因してノイズが発生する上記立ち上がり期間を除いた、ノイズの安定した期間に、上記物体の接触又は接近の検出を行うことができる。
【０１４３】
したがって、上記表示装置は、上記検出パネルにおける入力操作を検出するためにより長い検出期間を確保することができ、これによって高い検出精度を得ることができる。また、上記表示装置は、高いＳ／Ｎ比を得ることができるため、高い検出精度を得ることができる。
【０１４４】
なお、上記「立ち上がり期間」とは、画素電極に供給される画像信号が立ち上がる期間または立ち下がる期間のことを指す。
【０１４５】
また、本発明の態様２に係る表示装置は、上記態様１において、上記ｍ本目（ｍは自然数）の走査線に走査信号の供給が開始される時点からｍ＋１本目の走査線に上記走査信号の供給が開始されるまでの期間には、上記走査期間と、水平帰線期間と、が含まれている、ことが好ましい。
【０１４６】
また、本発明の態様３に係る表示装置は、上記態様１又は２において、上記表示駆動装置は、上記検出可能期間の開始タイミングを示す同期信号を上記検出パネルに供給する同期信号供給手段をさらに備え、上記検出パネルは、上記同期信号に同期して、上記物体の接近又は接触の検出を開始する、ことが好ましい。
【０１４７】
上記の構成によれば、上記検出パネルは、上記同期信号供給手段から供給された上記同期信号の示す上記検出可能期間において、上記物体の接近又は接触の検出を開始する。これによって、上記検出パネルは、上記表示駆動装置において発生するノイズの影響の小さい期間において上記物体の接近又は接触の検出を行うことができるため、高い検出精度を得ることができる。
【０１４８】
また、本発明の態様４に係る表示装置は、上記態様３において、上記表示駆動装置の駆動方式を切り替える制御手段をさらに備え、上記同期信号供給手段は、上記制御手段によって切り替えられた駆動方式に応じた検出可能期間の開始タイミングを示す同期信号を出力する、ことが好ましい。
【０１４９】
上記の構成によれば、上記検出パネルは、上記制御手段によって切り替えられた駆動方式に適した検出可能期間において上記物体の接近又は接触の検出を行うことができるため、高い検出精度を得ることができる。
【０１５０】
また、本発明の態様５に係る表示装置は、上記態様１又は２において、上記表示駆動装置の駆動方式を切り替える制御手段をさらに備え、上記検出パネルは、上記制御手段によって切り替えられた駆動方式に応じた検出可能期間において上記物体の接近又は接触の検出を行う、ことが好ましい。
【０１５１】
上記の構成によれば、上記検出パネルは、上記表示駆動装置において発生するノイズの影響の小さい期間に検出処理を行うことができ、また、上記制御手段によって切り替えられた駆動方式に適した検出可能期間において上記物体の接近又は接触の検出を行うことができるため、高い検出精度を得ることができる。
【０１５２】
また、本発明の態様６に係る表示装置は、上記態様４又は５において、上記制御手段によって切り替えられる駆動方式は、何れも極性反転駆動方式である、ことが好ましい。
【０１５３】
上記の構成によれば、上記表示駆動装置を極性反転駆動方式を用いて駆動させることができるため、上記表示パネルの焼き付きを低減させつつ、高い検出精度を得ることができる。
【０１５４】
また、本発明の態様７に係る表示装置は、上記態様１から６において、上記表示パネルは、上記走査線に供給される走査信号によって上記画素電極と当該画素電極に対応する画像信号線との電気的な接続をオンオフするスイッチング素子をさらに備え、上記スイッチング素子は、酸化物半導体を材料とする半導体層を有している、ことが好ましい。
【０１５５】
上記の構成によれば、表示装置において、オン特性およびオフ特性に優れている酸化物半導体を材料とする半導体層を有するスイッチング素子を採用することで、フレーム周期、すなわち、リフレッシュレートを変化させることが容易になる。
【０１５６】
また、本発明の態様８に係る表示装置は、上記態様７において、上記酸化物半導体は、ＩＧＺＯであることが好ましい。
【０１５７】
また、本発明に態様９係る表示装置は、上記態様１から８において、上記表示パネルと、上記検出パネルとが、密着して形成されている、ことが好ましい。
【０１５８】
これによれば、上記表示装置の、上記表示パネルと上記検出パネルとが重なり合う方向の厚みを薄くすることができる。
【０１５９】
また、本発明の態様１０に係る表示装置は、上記態様１から８において、上記表示パネルと、上記検出パネルとが、一体に形成されている、ことが好ましい。
【０１６０】
これによれば、上記表示装置の、上記表示パネルと上記検出パネルとが重なり合う方向の厚みをさらに薄くすることができる。また、上記表示パネル及び上記検出パネルを別々に設ける必要がないため、上記表示装置の部品点数を削減することができ、これによってコストを削減することができる。
【０１６１】
〔付記事項〕
以上、本発明の実施形態及について説明したが、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１６２】
また、変形例では、酸化物半導体を用いたＴＦＴを各画素に採用している表示装置へ本発明を適用する例を説明したが、これに限らず、ａ−Ｓｉを用いたＴＦＴや、ＬＴＰＳを用いたＴＦＴ等の、他のＴＦＴを各画素に採用している表示装置にも、本発明を適用することができる。
【産業上の利用可能性】
【０１６３】
本発明に係る表示装置は、テレビジョン受像機、パーソナルコンピュータ、カーナビゲーションシステム、携帯電話、スマートフォン、タブレット型ＰＣ、デジタルカメラ、及び、デジタルビデオカメラなどにおいて好適に利用することができる。
【符号の説明】
【０１６４】
１、２            表示装置
１０、１０’      表示駆動装置
１１              表示パネル
１２              走査線駆動回路
１３              信号線駆動回路
１４              共通電極駆動回路
１５、１５’      タイミングコントロール部（制御手段）
１６              電源回路
２０、２０’      入力検出装置
２１              検出部（検出パネル）
２２、２２’      検出部コントロール部
３０、３０’      システム側コントロール部
１５１、１５１’  検出同期信号生成部（同期信号供給手段）
【図１】
0005893720.tif 000002
【図２】
0005893720.tif 000003
【図３】
0005893720.tif 000004
【図４】
0005893720.tif 000005
【図５】
0005893720.tif 000006
【図６】
0005893720.tif 000007
【図７】
0005893720.tif 000008
【図８】
0005893720.tif 000009
【図９】
0005893720.tif 000010
【図１０】
0005893720.tif 000011
【図１１】
0005893720.tif 000012